(57)【要約】      （修正有）【課題】接触部による振動がなくなり、機械精度、特に真直度を格段に向上させ、ジャバラの交換の期間を長くできるスライドテーブルのジャバラ装置を提供。【解決手段】スライドテーブル 3のガイドレール30に沿って往復可能に設けたキャリッジ20の一側部21と前記ガイドレールの一端部22との間に、ガイドレール30を覆う伸縮自在のジャバラ 1を設け、複数個のジャバラ 1毎にその端部の一山11を固定したジャバラ支持部材10を支持するジャバラ支持プレート13をガイドレール30のベース31に配置した図示しない多くのエヤー吹き出し孔を有する多孔質板材4に接して配置し、多孔質板材4にエヤー供給口18からエヤーを供給して、ジャバラ支持部材10を支持するジャバラ支持プレート13を吹き出しエヤーでガイドレール30のベース31に対して浮上させて非接触に中空で支持するようにした。【選択図】図１
2008272895.tif 000002
【特許請求の範囲】
【請求項１】
スライドテーブルのガイドレールに沿って往復可能に設けたキャリッジの一側部と前記ガイドレールの一端部との間に、前記ガイドレールを覆う伸縮自在のジャバラを設け、複数個のジャバラ毎にその端部の一山を固定したジャバラ支持部材を支持するジャバラ支持プレートを前記ガイドレールのベースに配置した多くのエヤー吹き出し孔を有する多孔質板材に接して配置し、前記多孔質板材にエヤーを供給して、前記ジャバラ支持部材を支持するジャバラ支持プレートを吹き出しエヤーで前記ガイドレールのベースに対して浮上させて非接触に中空で支持するようにしたことを特徴とするスライドテーブルの非接触ジャバラ。
【請求項２】
前記ジャバラ支持部材は前記ジャバラ側面からみて、ジャバラ支持プレートの一端部から直角に立ち上がるＬ字形又はジャバラ支持プレートの中間部から直角に立ち上がる逆Ｔ字形であり、かつ前記ジャバラ支持プレートは前記多孔質板材の両側をガイドするガイドを有することを特徴とする請求項１記載のスライドテーブルの非接触ジャバラ。
【発明の詳細な説明】
【技術分野】
【０００１】
本発明は、スライドテーブルのジャバラ装置に関し、特に高精度加工用工作機械、試験機等のスライドテーブルのジャバラ装置に関に関する。
【背景技術】
【０００２】
従来の工作機械のスライドテーブルのジャバラ装置としては、例えば特許文献１に従来技術として紹介する、工作機械のスライドテーブルのガイドレールに沿って往復可能に設けたキャリッジの一側部とガイドレールの一端部との間に、ガイドレールを覆う伸縮自在のジャバラを設け、ジャバラを支持するジャバラ支持部材をガイドレールに沿って配置したガイド溝にローラで支持するものや、特許文献１が提案する、ジャバラ支持部材を支持するジャバラ用ナットをリニアボールベアリングで支持するものが開示されている。
【特許文献１】特開２０００−２７８９３０号公報
【発明の開示】
【発明が解決しようとする課題】
【０００３】
キャリッジがスライドテーブルのガイドレールに沿って往復すると、ガイドレールを覆うジャバラが伸縮しジャバラ支持部材を支持するローラ又はジャバラ用ナットが摩耗し、摩耗が大きくなるとローラ又はジャバラ用ナットが案内面と接触し、少しの接触衝撃でも機械精度、特に真直度を悪くするので、ジャバラの交換が必要となった。工作機械では、キャリッジをガイドレールに沿って空気軸受けで非接触に中空で支持するものはあるが、ジャバラは伸縮するので空気軸受けで支持することが困難であった。
【０００４】
本発明の課題は、かかる課題を解決した、スライドテーブルのガイドレールを覆うジャバラが伸縮してもジャバラ支持部材を支持するローラ又はジャバラ用ナットが摩耗することを防止して、ローラ又はジャバラ用ナットが案内面と接触し、接触部による振動で機械精度、特に真直度を悪くすることがなく、ジャバラの交換の期間を長くできるスライドテーブルのジャバラ装置を提供することにある。
【課題を解決するための手段】
【０００５】
このため本発明は、スライドテーブルのガイドレールに沿って往復可能に設けたキャリッジの一側部と前記ガイドレールの一端部との間に、前記ガイドレールを覆う伸縮自在のジャバラを設け、複数個のジャバラ毎にその端部の一山を固定したジャバラ支持部材を支持するジャバラ支持プレートを前記ガイドレールのベースに配置した多くのエヤー吹き出し孔を有する多孔質板材に接して配置し、前記多孔質板材にエヤーを供給して、前記ジャバラ支持部材を支持するジャバラ支持プレートを吹き出しエヤーで前記ガイドレールのベースに対して浮上させて非接触に中空で支持するようにしたことを特徴とするスライドテーブルの非接触ジャバラを提供することによって上記課題を解決した。
【発明の効果】
【０００６】
本発明では、複数個のジャバラ毎にその端部の一山を固定したジャバラ支持部材を支持するジャバラ支持プレートをガイドレールのベースに配置した多くのエヤー吹き出し孔を有する多孔質板材に接して配置し、多孔質板材にエヤーを供給して、ジャバラ支持部材及びジャバラ支持プレートを吹き出しエヤーでガイドレールのベースに対して浮上させて非接触に中空で支持するようにしたので、ジャバラ支持部材はガイドレールのベースに対して吹き出しエヤーで浮上させて非接触に中空で支持され、接触部がなくなったので、接触部による振動がなくなり、機械精度、特に真直度を格段に向上させ、ジャバラの交換の期間を長くできるスライドテーブルのジャバラ装置を提供するものとなった。
【０００７】
好ましくは、前記ジャバラ支持部材は前記ジャバラ側面からみて、ジャバラ支持プレートの一端部から直角に立ち上がるＬ字形であってもよく、又は作動安定のためにジャバラ支持プレートの中間部から直角に立ち上がる逆Ｔ字形としてもよく、かつ前記ジャバラ支持プレートは前記多孔質板材の両側をガイドするガイドを有する。
【発明を実施するための最良の形態】
【０００８】
本発明の実施の形態について、図面を参照して説明する。図１（ａ）は本発明の実施の形態の高精度加工用工作機械のスライドテーブルのジャバラ装置を示す要部部分立面図で、スライドテーブルの左部分の側面図である、（ｂ）は（ａ）のＢ−Ｂ線に沿った部分拡大断面図で、ジャバラの取り付け方法を示し、（ｃ）は（ｂ）のＣ部をさらに拡大した部分拡大図である。
【０００９】
本発明の実施の形態のスライドテーブルのジャバラ装置は、スライドテーブル 3のガイドレール30に沿って往復可能に設けたキャリッジ20の一側部21とガイドレール30の一端部22との間に、ガイドレール30を覆う伸縮自在のジャバラ 1を設け、複数個のジャバラ 1毎にその端部の一山11を固定したジャバラ支持部材10を支持するジャバラ支持プレート13をガイドレール30のベース31に配置した図示しない多くのエヤー吹き出し孔を有する多孔質板材 4に接して配置し、多孔質板材 4エヤー供給口18からエヤーを供給して、ジャバラ支持部材10を支持するジャバラ支持プレート13の底面14を吹き出しエヤーでガイドレール30のベース31に対して浮上させて非接触に中空で支持するようにした。供給エヤー19はエヤー供給口18から点線のように多孔質板材 4を通り、ジャバラ支持プレート13の底面14と多孔質板材 4の両側をガイドするガイド 5、5との間に噴出する。
【００１０】
本発明の実施の形態では、ジャバラ支持部材10はジャバラ 1側面からみて、ジャバラ支持プレート13の一端部から直角に立ち上がるＬ字形15であるが、作動安定のためにジャバラ支持プレート13の中間部から直角に立ち上がる図示しない逆Ｔ字形としてもよい。図１では、ジャバラ支持部材10のＬ字形15部分に、複数個のジャバラ端部の一山11の外面を押さえ板12にボルト16で止めて固定しており、かつジャバラ支持プレート13は多孔質板材 4の両側をガイドするガイド 5、5を有する。
【００１１】
本発明の実施の形態では、複数個のジャバラ毎にその端部の一山を固定したジャバラ支持部材を支持するジャバラ支持プレートをガイドレールのベースに配置した多くのエヤー吹き出し孔を有する多孔質板材に接して配置し、多孔質板材にエヤーを供給してジャバラ支持部材及びジャバラ支持プレートを吹き出しエヤーでガイドレールのベースに対して浮上させて非接触に中空で支持するようにしたので、ジャバラ支持部材はガイドレールのベースに対して吹き出しエヤーで浮上させて非接触に中空で支持され、接触部がなくなったので、接触部による振動がなくなり、機械精度、特に真直度を格段に向上させ、ジャバラの交換の期間を長くできるスライドテーブルのジャバラ装置を提供するものとなった。
【図面の簡単な説明】
【００１２】
【図１】（ａ）は本発明の実施の形態の高精度加工用工作機械のスライドテーブルのジャバラ装置を示す要部部分立面図で、スライドテーブルの左部分の側面図であり、（ｂ）は（ａ）のＢ−Ｂ線に沿った部分拡大断面図で、ジャバラの取り付け方法を示し、（ｃ）は（ｂ）のＣ部をさらに拡大した部分拡大図である。
【符号の説明】
【００１３】
1 ：ジャバラ、3 ：スライドテーブル、10：ジャバラ支持部材、11：ジャバラ端部の一山13：ジャバラ支持プレート、14：多孔質板材、20：キャリッジ、21：キャリッジの一側部22：ガイドレールの一端部、30：ガイドレール、31：ガイドレールのベース
【図１】
2008272895.tif 000003